(57)【要約】【課題】ＰＣを、ネットワークと直接モデム通信設定から、ネットワークスイッチを介するバッファリング設定に、トランスペアレントに変換する方法、及び、システムを提供する。【解決手段】クライアントデバイスが、ネットワーク構成を、ブロードバンドモデムからレジデンシャルゲートウェイに、簡単、且つ、ユーザフレンドリな方法で送信することを可能にする方法、システム、及び、コンピュータプログラムである。これにより、ユーザにとって簡単なインストレーション処理が与えられる。レジデンシャルゲートウェイの代わりに、ルータ、ブリッジ、又はブルータウといった様々なネットワークスイッチを使用してよい。方法は、１つのコマンド、又は、ユーザコマンドの１つの小さいセットを介して実施され得、例えば、プルダウンメニュ、又は、グラフィカルユーザインタフェース上のアイコンを介して実施され得る。【選択図】　　図４
2004005604.tif 000002
【特許請求の範囲】
【請求項１】
ネットワーク通信のための、クライアントデバイスの直接接続を、ネットワークスイッチを介する接続に置き換える方法であって、
上記クライアントデバイスと上記ネットワークスイッチとの間の通信接続を、ネットワーク通信により確立する段階と、
上記クライアントデバイスの全てのネットワーク構成設定を、上記ネットワークスイッチに自動転送する段階とを含み、
上記クライアントデバイスは、上記ネットワークスイッチにより生成されるクエリーに応答するか、又は、上記クライアントデバイスのユーザインタフェースから入力されたユーザ入力プロンプトコマンドに応答して、上記クライアントデバイスの全てのネットワーク構成設定を、上記ネットワークスイッチに自動転送する段階を達成する、方法。
【請求項２】
上記クライアントデバイスは、パーソナルコンピュータである請求項１記載の方法。
【請求項３】
上記ネットワークスイッチは、レジデンシャルゲートウェイである請求項１記載の方法。
【請求項４】
上記クライアントデバイスの全てのネットワーク構成設定を自動転送する段階は、上記クライアントデバイスにあるコンピュータプログラムを介して行われる請求項１記載の方法。
【請求項５】
ユーザインタフェースによって、ユーザが、１つのコマンドによって、上記クライアントデバイスの全てのネットワーク構成設定を自動転送する段階を開始することを可能にする請求項４記載の方法。
【請求項６】
上記１つのコマンドは、上記ユーザインタフェースの、幾つかのネスト状にされたメニュレベルの１つにある、請求項５記載の方法。
【請求項７】
上記１つのコマンドは、上記ユーザによって、上記ユーザインタフェースにタイプインされる、請求項５記載の方法。
【請求項８】
上記方法は、コンピュータコードを介して実行される、請求項１記載の方法。
【請求項９】
上記コンピュータコードは、上記パーソナルコンピュータに予めインストールされる請求項８記載の方法。
【請求項１０】
上記コンピュータコードは、上記パーソナルコンピュータに挿入される、着脱可能な媒体にある請求項８記載の方法。
【請求項１１】
上記コンピュータコードは、ウェブ上の安全なサイトからダウンロードされる請求項８記載の方法。
【請求項１２】
上記コンピュータコードは、アイコンをアクティブにすることにより開始される請求項８記載の方法。
【請求項１３】
上記コンピュータコードは、グラフィカルユーザインタフェースのプルダウンメニュにある１つのコマンドによって、アクティブにされる請求項８記載の方法。
【請求項１４】
ユーザに、ネットワーク通信のための、クライアントデバイスの直接接続の、ネットワークスイッチを介する接続への置換えを可能にするシステムであって、
グラフィカルユーザインタフェースを表示可能である画面を有するモニタ、及び、プロセッサを有するクライアントデバイスと、
上記クライアントデバイスに接続されるネットワークスイッチとを含み、
上記ユーザは、１つのコマンド、又は、少数のコマンドを介して、上記直接接続の、上記ネットワークスイッチを介する接続への置換えを実行させる、システム。
【請求項１５】
上記１つのコマンド、又は、少数のコマンドを実行するためのソフトウェア命令は、上記クライアントデバイスの上記プロセッサに接続されるメモリ内にある、請求項１４記載のシステム。
【請求項１６】
上記メモリは、読出し専用メモリである、請求項１５記載のシステム。
【請求項１７】
上記読出し専用メモリは、電気的に消去可能な読出し専用メモリである請求項１６記載のシステム。
【請求項１８】
上記メモリは、ランダムアクセスメモリである、請求項１５記載のシステム。
【請求項１９】
上記クライアントデバイスと上記ネットワークスイッチは、ハンドシェイクモードで通信する請求項１４記載のシステム。
【請求項２０】
上記直接接続の、上記ネットワークスイッチを介する接続への置換えは、
上記クライアントデバイスと上記ネットワークスイッチとの間に通信接続を確立する段階と、
上記クライアントデバイスの全てのネットワーク構成設定を、上記ネットワークスイッチに自動転送する段階を含み、
上記クライアントデバイスは、上記ネットワークスイッチにより生成されるクエリーに応答するか、又は、上記クライアントデバイスのユーザインタフェースから入力されたユーザ入力プロンプトコマンドに応答する方法によって行われる請求項１４記載のシステム。
【請求項２１】
上記ネットワークスイッチは、一体式ブロードバンドモデムを含まないレジデンシャルゲートウェイである請求項１４記載のシステム。
【請求項２２】
上記クライアントデバイスは、パーソナルコンピュータである請求項１４記載のシステム。
【請求項２３】
コードを含む、機械可読命令からなるコンピュータプログラムであって、
上記コードは、
クライアントデバイスと、ネットワークスイッチとの間に通信接続を確立する段階と、
上記クライアントデバイスの全てのネットワーク構成設定を、上記ネットワークスイッチに自動転送する段階とを行い、
上記クライアントデバイスは、上記ネットワークスイッチにより生成されるクエリーに応答するか、又は、上記クライアントデバイスのユーザインタフェースから入力されたユーザ入力プロンプトコマンドに応答する、コンピュータプログラム。
【請求項２４】
上記コードは更に、
上記ネットワークスイッチの１つのポートが、上記クライアントデバイスと接続しているか否かを決定する段階と、
上記１つのポートが接続されている場合は、上記ネットワークスイッチが、上記１つのポートに対し既に構成されているか否かを決定する段階と、
上記ネットワークスイッチが、上記１つのポートに対し既に構成されていない場合は、上記ネットワーク構成設定を送信する段階とを行う、請求項２３記載のコンピュータプログラム。
【請求項２５】
上記クライアントデバイスは、１０以下のユーザコマンドに応答して、上記ネットワーク構成設定を送信する請求項２４記載のコンピュータプログラム。
【請求項２６】
上記クライアントデバイスは、１つのユーザコマンドに応答して、上記全てのネットワーク構成設定を送信する請求項２５記載のコンピュータプログラム。
【請求項２７】
１つ以上のパーソナルコンピュータを、ネットワークに接続するためのレジデンシャルゲートウェイであって、
囲いと、
上記囲い内のプロセッサと、
上記囲いにおいて、上記プロセッサに接続されるメモリと、
上記プロセッサに通信接続し、上記囲い上に設置され、１つのクライアントデバイスと上記レジデンシャルゲートウェイを接続するようそれぞれ適応される１つ以上のポートと、
上記プロセッサに通信接続し、上記囲い上に設置され、ネットワークに接続する為のネットワークポートとを含み、
上記レジデンシャルゲートウェイは、上記クライアントデバイスのユーザが、上記クライアントデバイスの全てのネットワーク構成設定を、上記レジデンシャルゲートウェイに、１つのコマンドで送信することを可能にするソフトウェアプログラムを含む、レジデンシャルゲートウェイ。
【請求項２８】
上記１つ以上のポートは、４個である、請求項２７記載のレジデンシャルゲートウェイ。
【請求項２９】
上記１つ以上のポートは、８個である、請求項２７記載のレジデンシャルゲートウェイ。
【請求項３０】
上記ポートは、ワイヤレスポートである請求項２７記載のレジデンシャルゲートウェイ。
【請求項３１】
上記ワイヤレスポートは、無線周波数ポートである請求項３０記載のレジデンシャルゲートウェイ。
【請求項３２】
上記ワイヤレスポートは、赤外線ポートである請求項３０記載のレジデンシャルゲートウェイ。
【請求項３３】
上記レジデンシャルゲートウェイは、ブロードバンドモデムを含まない、請求項２４記載のレジデンシャルゲートウェイ。
【発明の詳細な説明】
【０００１】
【発明の属する技術分野】
本発明は、ネットワーク通信の分野に係り、特に、ＷＡＮ構成を、ＰＣからレジデンシャルゲートウェイに送る方法に関する。
【０００２】
【従来の技術】
様々なネットワーク切替え装置がある。ゲートウェイは、２つのネットワーク間の情報の流れを管理する装置である。ワイヤレスゲートウェイは、ブロードバンドアクセスを、ローカルワイヤレスネットワークに接続する装置である。ハブのワイヤレス版に相当するアクセスポイントは、制御された安全領域に入る手段であり、カード読取り器、モニタスイッチ、及び／又は、ラッチから構成され、アクセス制御パネルに有線で接続される。ルータは、ネットワークを接続し、パケットデータを転送する。ブリッジは、２つのネットワーク間の、プロトコルとは関係のないスイッチである。ブルータは、ブリッジとルータの両方として機能する装置である。
【０００３】
現在、異なるプロファイル、ネットワーク名、及び、暗号化設定を含む、構成設定は、各ＰＣ（パーソナルコンピュータ）ベースに行われている。構成設定が転送されなければならない一例としては、ＰＣが、ネットワークへの直接接続から、ネットワーク切替え装置を介しての接続に変更されるときが挙げられる。ネットワーク切替え装置を用いることによって、良好なリソース管理、及び、ハッカーによる侵入の阻止といった多数の利点が提供される。
【０００４】
過去において、ブロードバンドモデムに接続される現存のＰＣを有し、インターネット接続を共有するためにレジデンシャルゲートウェイ（ネットワークルータ）を購入したユーザは、もともとＰＣに設定されているブロードバンドプロバイダと同一のＩＳＰ（インターネット・サービス・プロバイダ）設定で、ルータを手動でプログラムしなければならなかった。このＩＳＰ設定には、ホスト名、ドメイン名、ＩＰアドレス設定等が含まれる。ＩＳＰからの、必要な顧客毎の設定の文書は、しばしば分かりにくい。
【０００５】
過去において、よりユーザが理解し易い従来技術の解決策が試みられてきた。１つの解決策は、限られた程度で、一部のネットワークルータのユーザインタフェースに設けられているＭＡＣアドレス「クローン」機能に関連する。この機能は、その機能が実行されているＰＣのＭＡＣアドレスを読出しし、次に、同一のＭＡＣアドレスを、ＷＡＮ（ワイドエリアネットワーク）側のＮＩＣ（ネットワークインタフェースカード）のルータにプログラムする。これらの設定は、常に、ユーザのオプションであり、実際には一般的に、アドバンスド・セクションにてユーザから隠されている。もう１つの解決策としては、Ｄ−リンクＤＩ−７０１のレジデンシャルゲートウェイがあり、これは、ブロードバンドモデムに以前から取り付けられているコンピュータのインターネット設定を、レジデンシャルゲートウェイに転送するグラフィカルユーザインタフェースを提供する。更にもう１つの例として、２ワイヤ・ホームポータル・レジデンシャルゲートウェイがあり、これは、様々なブロードバンドサービスプロバイダと共に機能するよう予め構成され、内部に一体式ブロードバンドモデムを有し、１つの一意のコードを入力することによって、インターネットにアクセスするよう構成される。
【０００６】
しかし、従来技術のいずれも、ブロードバンドモデムに予め取り付けられている、或いは、ＷＡＮに直接接続されているＰＣの、ＷＡＮ構成、又は、他のネットワーク構成を自動的に集め、そして、そのＷＡＮ構成、又は、他のネットワーク構成を、レジデンシャルゲートウェイ、又は、ネットワークスイッチに、プログラムする方法は開示していない。
【０００７】
従って、ネットワーク構成設定を、ＰＣから、そのＰＣに対応する、レジデンシャルゲートウェイといったネットワークスイッチに、簡単、且つ、トランスペアレントに転送する手段を提供することが望ましい。
【０００８】
【発明が解決しようとする課題】
本発明は、ＰＣを、ネットワークと直接モデム通信設定から、ネットワークスイッチを介するバッファリング設定に、トランスペアレントに変換する方法、及び、システムを提供することを目的とする。全てのインストレーション処理は、少数のコマンド、又は、単一のコマンドで達成されうる。
【０００９】
【課題を解決するための手段】
本発明の第１の面では、クライアントデバイスのモデムを、ネットワーク通信用のネットワークスイッチに置き換える方法が開示される。この方法は、パーソナルコンピュータと、ネットワークスイッチの間に、ネットワーク通信によって、通信接続を確立する段階と、クライアントデバイスの全てのネットワーク構成設定を、ネットワークスイッチに転送する段階とを含む。クライアントデバイスは、ネットワークスイッチによって生成されるクエリーに応答するか、又は、クライアントデバイスのユーザインタフェースから形成された単一のユーザ入力プロンプトコマンドに応答して、クライアントデバイスの全てのネットワーク構成設定を、ネットワークスイッチに自動転送する段階を達成する。
【００１０】
本発明の第２の面では、ユーザが、ネットワーク通信のための、クライアントデバイスの直接接続を、ネットワークスイッチを介する接続に置き換えることを可能にするシステムが開示される。システムは、グラフィカルユーザインタフェースを表示可能な画面を有するモニタを有するパーソナルコンピュータと、プロセッサと、パーソナルコンピュータのプロセッサに接続されるネットワークスイッチを含む。ユーザは、全てのネットワーク構成設定を、単一のコマンド、又は、少数のコマンドのいずれかによって、送信する。
【００１１】
本発明の第３の面では、機械可読命令からなるコンピュータプログラムが開示される。コンピュータプログラムは、ネットワーク通信を介して、クライアントデバイスと、ネットワークスイッチとの間に通信接続を確立する段階と、クライアントデバイスの全てのネットワーク構成設定を、ネットワークスイッチに自動転送する段階を実行するコードを含む。クライアントデバイスは、ネットワークスイッチによって生成されるクエリーに応答するか、クライアントデバイスのユーザインタフェースから形成された単一のユーザ入力プロンプトコマンドに応答して、クライアントデバイスの全てのネットワーク構成設定を自動転送する段階を達成する。
【００１２】
本発明の第４の面では、１つ以上のパーソナルコンピュータをネットワークに接続するレジデンシャルゲートウェイが開示される。レジデンシャルゲートウェイは囲いを含み、囲いは、プロセッサと、メモリと、囲いに設けられる一つ以上のポートを含む。各ポートは、１つのパーソナルコンピュータをレジデンシャルゲートウェイに接続するよう適応される。囲いには更に、ネットワークに接続する為のネットワークポートが設けられる。レジデンシャルゲートウェイは、パーソナルコンピュータのユーザが、パーソナルコンピュータの全てのネットワーク構成設定を、１つのコマンドによって送信することを可能にするソフトウェアプログラムがロードされている。
【００１３】
本発明は、ＰＣの完全なＷＡＮ構成又は他のネットワーク構成を、自動的にクローン化する方法を提供し、それにより、ユーザは、ユーザのＰＣのホスト名、ドメイン名、特定のＩＰアドレス、又は、特定のＭＡＣアドレスを含み得る様々なパラメータを知る必要がない、又は、手動で供給する必要がない。
【００１４】
本発明は、上出来なインストレーションに寄与し得るパラメータのセットを、ＰＣから集め、全てのパラメータを、その詳細をユーザに露出することなく、ルータ又は他のネットワーク切替え装置に供給する点で、他のクローン化機構とは異なる。ユーザインタフェースは、単に、「このＰＣは、あなたのケーブルモデムに前から接続していましたか？」という質問を聞くことによって、設定を自動的に適用する。
【００１５】
尚、上述の概要、及び、以下の詳細な説明は、例示的、且つ、説明的に過ぎず、本発明の特許請求の範囲を制限するものではないことを理解するものとする。本明細書に組込まれ、本明細書の一部をなす添付図面は、本発明の実施例を例示し、概要と組合されて、本発明の原理を説明するものである。
【００１６】
【発明の実施の形態】
本発明の多くの利点は、添付図面を参照することにより、当業者によって、より良好に理解され得る。
【００１７】
本発明の好適な実施例を詳細に見る。実施例は、添付図面に示す。
【００１８】
図１乃至４を参照するに、本発明の例示的な実施例を示す。
【００１９】
本発明は、ユーザが、ＰＣを、ネットワークへの直接接続から、ネットワークスイッチデバイスを介しての接続に、簡単に切り替えることを可能にする方法に係る。１つの実施例では、予めブロードバンドモデムに取り付けられていて、今は、レジデンシャルゲートウェイの背後にある、ＰＣの完全なＷＡＮ構成を自動的にクローン化するために、ユーザが使用する機能が設けられる。このことは、情報を自動的に集め、同一の値で、レジデンシャルゲートウェイを自動的にプログラムするＰＣ上で実行される実行可能なプログラムが関連する。プログラミング動作は、単一の自己同期型アルゴリズムであってよく、このアルゴリズムは、最初に、レジデンシャルゲートウェイ、即ち、アクセスポイントをプログラムして、次に、接続が維持されていることを確かめるために確認する。レジデンシャルゲートウェイの代わりに、任意の共通ネットワーク切替え装置を使用してもよく、例えば、ルータ、ブリッジ、ブルータ等が挙げられる。
【００２０】
レジデンシャルゲートウェイのようなネットワークスイッチは、バーチャルＤＭＺホスト、ハッカー検出、ネットワークアドレス翻訳、ファイヤウォール保護、クライアントフィルタリング、特別アプリケーションアクセス、及び、接続サポートといった様々な機能をサポートし得る。
【００２１】
ハードウェア及びソフトウェアに関して、ある仮定がある場合がある。１つのクライアントＰＣと、インターネットといったネットワークへのアクセスを供給する１つのレジデンシャルゲートウェイが最小限である。クライアントセットアップウィザードは、ネットワーキングキット（例えば、ＵＳＢワイヤレス）を用いて、ネットワークに加えられる全てのＰＣのネットワーキングを構成し、レガシーＰＣをサポートし得る。クライアントセットアップウィザードは、レジデンシャルゲートウェイは、ＲＧ、又は、ＸＰベースのＲＧ　ＰＣであることを想定し得る。様々な周辺装置が、直接ネットワークに組込まれるか、又は、クライアントＰＣに接続され得る。ソフトウェアに関して、クライアントＰＣは、ウィンドウズ（登録商標）９８、ウィンドウズ（登録商標）９８ＳＥ、ウィンドウズ（登録商標）ＭＥ、ウィンドウズ（登録商標）２０００、及び、ウィンドウズ（登録商標）ＸＰを含むウィンドウズ（登録商標）のようなオペレーションシステムを使用してもよい。ＡＯＬクライアントが、１つ以上のクライアントＰＣにインストールされていてもよい。
【００２２】
本発明は、セットアップウィザード及びネットワークコンソールの両方が設定された１つのインストレーションプログラムを含む、単一のＣＤ、ディスケット、又は、他の着脱自在な媒体を介して、実施され得る。一体型のソフトウェアプログラムは、その全体がＰＣ上に存在してもよい。
【００２３】
ユーザは、セットアップウィザードを実行する前に、ＲＧ（レジデンシャルゲートウェイ）を接続し、ネットワークをつなぐ。単一の画面を使用して、単一の質問、又は、パラメータ設定、或いは、密接に関連する設定の非常に小さいセットのみが表示され得る。ソフトウェアが、まだ構成されていないＲＧの存在を検出すると、ＲＧセットアップウィザードが自動的に実行されるか、又は、ユーザの前にオプションメニュが現れる。
【００２４】
レジデンシャルゲートウェイセットアップウィザードは、顧客にとって、安全、且つ、簡単であり、ユーザにトランスペアレントである追加機能をサポートする、所定のデフォルトネットワーク構成を決定し、実行する場合がある。レジデンシャルゲートウェイセットアップウィザードは、ユーザのオプションを、最低限の必要不可欠なものだけに制限する場合もある。レジデンシャルゲートウェイセットアップウィザードは、ウェブインタフェース上で個々のページを検索する必要を削除するよう、各ページに１つ又は２つの簡単なオプションを有する、一連のレジデンシャルゲートウェイセットアップウィザードページに、全ての必要なオプションを組込んでも良い。レジデンシャルゲートウェイセットアップウィザードは更に、正しい動作を確認し、ＲＧの内部機能を利用して、問題を診断し、解決策を提案し、そして、ユーザを適切なアシスタントリソースに案内し得る。
【００２５】
クライアントＰＣは、特定の機能的要件を有する場合がある。サポートされたネットワークアダプタ用のドライバがインストールされうる。ネットワークアダプタに対し、ＴＣＰ／ＩＰネットワーキングがインストールされ、イネーブルされ、テストされる。ネットワーキング用のクライアントがインストールされ、イネーブルされる。（ウィンドウズ（登録商標）といった）ファイル共有がインストールされ、イネーブルされる。プリント共有がインストールされ、イネーブルされて、ユーザのプリンタは共有される。ウェブ接続共有クライアント機能がイネーブルされる。クライアント接続がワイヤレスの場合、ワイヤレスデバイスは、安全なアクセスができるよう構成される。他のクライアント関連のソフトウェアがインストールされる。ユーザは、ＢＩＯＳ又はＮＥＴＢＩＯＳ名と記述名を割当てる。ユーザは、クライアントＰＣに対し、ウェブアクセスがブロックされるべきであるか否かを特定する。診断によって、クライアントインストレーションが成功し、レジデンシャルゲートウェイが存在することが確認される。
【００２６】
レジデンシャルゲートウェイは、特定の機能的要件を有する場合がある。１つの実施例において、ユーザは、ケーブル付き又はワイヤレスクライアントＰＣから、ＲＧを、設定可能でなければならず、ＲＧセットアップウィザードは、ＲＧを構成しようと試みる前に、クライアントＰＣが、ＲＧの正しいモデル及びバージョンと通信しているかを確認しなければならない。ユーザオプションを表示する各画面は、デフォルト値ではなく、ＲＧ上で現在構成されているオプションの状態を表示しなければならず、また、ユーザは、クライアントＰＣのセットアップウィザードが、そのクライアントＰＣインストレーション、及び、そのＰＣ上のセットアップを上首尾に完了していない限り、クライアントＰＣ上のＲＧセットアップウィザードを実行することができない。本発明は、予めブロードバンドモデムに取り付けられ、今は、レジデンシャルゲートウェイの背後にある、ＰＣの完全なＷＡＮ構成を、自動的に「クローン化」するために、顧客が使用することのできる機能を提供する。特定の現在の技術では、顧客が、ＰＣのＷＡＮ（例えば、ダイナミック・ホスト・コンフィギュレーション・プロトコル−ＤＨＣＰ−クライアント設定、静的ＩＰアドレス、ＤＮＳ、ホスト名、ドメイン等）を見て、レジデンシャルゲートウェイ上のウェブに基づいたユーザインタフェースに、それらの全てを再入力する必要がある。本発明は、ＰＣ上で実行され、情報を集め、且つ、同一の値で、レジデンシャルゲートウェイを自動的にプログラミングする、実行可能なコンピュータプログラムである。各ＩＳＰは、特定のフィールドを必要とし、同時に他のフィールドを無視するが、全ての可能な設定パラメータをコピーするのには支障がなく、従って、レジデンシャルゲートウェイをプログラミングする上でも支障がない。このようにして、顧客は、ＩＳＰが、例えば、ホスト名のみを必要とするのか、ホスト名とドメイン名を必要とするのか、特定のＩＰアドレス設定を必要とするのか、ホスト名とＭＡＣアドレスを必要とするのか、或いは、それ以外を必要とするのか、知る必要がない。
【００２７】
ＰＣ上の全ての様々なウェブ関連の設定は、レジデンシャルゲートウェイ等に、１つのコマンド、又は、少数のコマンドからなる１つのセットを介して、転送され得る。
【００２８】
ＴＣＰ（通信制御プロトコル）関連のコマンドは、自動的に、この方法によって送信され得る。ＴＣＰ／ＩＰ関連のコマンドには、ドメイン、ホスト名、ＤＮＳサーバサーチオーダ、及び、ドメインスフィックスサーチオーダといった、ドメイン名サーバ（ＤＮＳ）情報が含み得る。当該のゲートウェイが、新規のゲートウェイダルか否か、又は、既にインストールされているゲートウェイであるか否かといった、ゲートウェイ関連の情報も送信され得る。ＷＩＮＳサーバサーチオーダ及びスコープＩＤといったＷＩＮＳ情報も含み得る。ＩＰアドレス情報には、ＩＰアドレスとサブネットマスクが含み得る。ＮＥＴＢＩＯＳ情報も含み得る。ＡＴＭと提携することを可能にするといった高機能も含み得る。バインディングも含み得る。
【００２９】
接続応答タイムアウト、切断応答タイムアウト、及び、ログファイルの記録を含む、バーチャル・プライベート・ネットワーキングアダプタ情報も送信され得る。
【００３０】
ダイアルアップ式アダプタ特性も含まれ得る。これらの設定は、例えば、イネーブル・ポイント・ツー・ポイント（ＰＰＰ）ＩＰ、ＩＰパケットサイズ、ログファイルの記録、ＩＰＸヘッダ圧縮の利用、及び、エンハンスドモード、リアルモードＮＤＩＳドライバとリアルモードＯＤＩドライバといったドライブタイプを含み得る。ＰＰＰは、電話用モデムに使用される。ＰＰＰでは、インターネット・プロトコル・コンフィギュレーション・プロトコル（ＩＰＣＰ）が、ＩＰアドレス、及び、ネットワーク構成情報を供給する。
【００３１】
ＰＣ管理情報も含まれ得る。ＰＣ管理情報には、３ＣＯＭイーサリンク　１０／１００　ＰＣＩといった規格の情報を含む。更には、８０２．１ｐサポート、ダウンポールレート、フロー制御、媒体タイプ、ＮＤＩＳドライババージョン、Ｒｘチェックサムオフロード、及び、Ｔｘチェックサムオフロードも含まれ得る。
【００３２】
共有レベル及びユーザレベルといったアクセス制御設定も含まれ得る。
【００３３】
ログオンの確認、クイックログオン、ネットワーク接続のログオン及びリストアといったクライアント設定も含まれ得る。
【００３４】
図１は、本発明のレジデンシャルゲートウェイ１０の実施例を示す。レジデンシャルゲートウェイは、レジデンシャルゲートウェイが管理する個々のＰＣからのケーブルを挿入するための複数のジャック、又は、プラグ２０を有する矩形の囲いである。レジデンシャルゲートウェイ１０は更に、ＣＯＭポート４０、及び、ＷＡＮポート３０を有しても良い。電源コードのコンセントが設けられ得る。他の機能としては、リセットボタン及び他のネットワーク用のポートが挙げられる。レジデンシャルゲートウェイ１０は、複数のＰＣとネットワーク間で、ウェブトラフィックの道順を決定するためのプロセッサと、メモリを有する。ネットワークは、ＷＡＮである必要はなく、ローカルエリアネットワーク、都市エリアネットワーク、又は、他のタイプのネットワークであってよい。
【００３５】
図２は、本発明を使用するシステムを示す。ＣＰＵ１００と、表示画面１２０を有するモニタ１１０とを有するＰＣは、ネットワークスイッチ１０を介して、ネットワークに通信する。１つの実施例では、ＰＣがブロードバンドモデムを有し、ネットワークスイッチはブロードバンドモデムを有さない。
【００３６】
図３は、本発明の方法におけるユーザの関与を示す方法のフローチャートである。ユーザは、単一のコマンド、又は、少数のコマンドからなる１つのセットを入力し得る。ユーザによって出されるコマンドの最大数は、１、２、３、５、又は、似たような数字である。段階２００において、（例えば、ＤＯＳ、又は、グラフィカルユーザインタフェース上に示されるフィールドからの）テキストデータ入力コマンド、アイコンのアクティブ化、プルダウンメニュ又はサブメニュからのエントリの選択を介した、ユーザのプロンプトによって、始められる。段階２１０において、クライアントが、レジデンシャルゲートウェイに接続しているか否かが確認される。接続している場合、段階２２０において、ＷＡＮ構成、及び、他のネットワーク構成設定が、レジデンシャルゲートウェイ、又は、類似するネットワークスイッチに送信される。接続されていない場合、ユーザは、段階２４０において、クライアントＰＣが、レジデンシャルゲートウェイに接続していないことが通知される。
【００３７】
図４は、レジデンシャルゲートウェイ、又は、他のネットワークスイッチ側から見た本発明の方法の実施例を示す図である。ネットワークスイッチは、段階３１０において、ＰＣが、１つのポートにて接続しているか否かを確認し得る。接続が検出されなければ、段階３７０において、ネットワークスイッチは次のポートを選択する。次に、ネットワークスイッチは、段階３２０において、ネットワークスイッチに、ネットワーク構成設定が送信されているか否かを確認する。送信されている場合は、ネットワークスイッチは、次のポートを選択する。送信されていない場合は、クライアントデバイス、又は、パーソナルコンピュータは、段階３３０において、構成設定が送信されていないことが通知される。段階３４０において、ネットワーク構成設定を、パーソナルコンピュータから受信する。次に、段階３５０において、ネットワークスイッチは、全てのポートが構成されているか否かを確認する。
【００３８】
図３に示す方法を実行するソフトウェアは、パーソナルコンピュータだけに組込まれ得る。図４に示す方法を実行するソフトウェアは、レジデンシャルゲートウェイ、即ち、ネットワークスイッチ上に組込まれ得る。これらの方法段階が完了した後には、再起動することが要求され得る。ソフトウェアは、１つのオプションとして、ユーザによって、ネットワーク構成設定を手動で取り扱うことを可能にし得る。
【００３９】
本発明は、ネットワークスイッチのデフォルトのネットワーク設定を可能にする。ネットワークスイッチは、ネットワーク構成設定が、デフォルトであるか、又は、パーソナルコンピュータによって供給されたものであるのかを示すフラグビットを含み得る。
【００４０】
尚、本発明による、ＷＡＮ構成を、ＰＣから、レジデンシャルゲートウェイに送信する方法と、その多くの付随する利点は、上述の説明から理解されるものとする。更に、本発明の範囲及び目的から逸脱することなく、又は、本発明の重要な利点を犠牲することなく、本発明の形式、構成、及び、装置の構成に対し様々な変更が可能であることは明らかであるとする。上述した形式は、本発明の例示的な実施例に過ぎない。特許請求の範囲には、上述したような変更が含まれるものとする。
【図面の簡単な説明】
【図１】本発明のレジデンシャルゲートウェイのパネルを示す図である。
【図２】本発明を利用するシステムを示す図である。
【図３】クライアントデバイス側から見た、実施例における動作のフローチャートを示す図である。
【図４】レジデンシャルゲートウェイ側から見た、本発明の方法の実施例の機能的なフローチャートを示す図である。
【符号の説明】
１０　レジデンシャルゲートウェイ
２０　ジャック又はプラグ
３０　ＷＡＮポート
４０　ＣＯＭポート
１００　ＣＰＵ
１１０　モニタ
１２０　表示画面
【図１】
2004005604.tif 000003
【図２】
2004005604.tif 000004
【図３】
2004005604.tif 000005
【図４】
2004005604.tif 000006